(57)【要約】      （修正有）【課題】大小変化する男性器に対し、リングが脱落することがあるのでその脱落を防止するため、二対の取っ手部を連結し片方を陰茎の付根部に片方を亀頭部後方冠状溝に留置することが可能な男性器専用衛生リングを提供する。【解決手段】伸縮性のある、布及び紙製のリング状の輪１を除菌・防臭加工しその輪を包皮に覆われていない亀頭部後方冠状溝に輪を広げ装着し留置する。そのリング状の輪は、伸縮性を持つがさらに輪の直径の拡大縮小を図るための調整フック（取っ手部２。）を設け、リング装着のためのサイズ調整を行う。またその調整フック（取っ手部。）は、装着時の簡便さを図るための取っ手として有効使用にされる。さらに２対の本発明品の取っ手部を連結使用することにより１対を陰茎の根元部に１対を亀頭部冠状溝に留置することにより亀頭部冠状溝より脱落紛失することを防止することができる。【選択図】図１
2012223544.tif 000002
【特許請求の範囲】
【請求項１】
男性器における亀頭部と陰茎包皮の癒合を阻止し清潔を保持する方法として、円柱状の伸縮性のある布及び紙リング（円柱状の太さ１０ｍｍ前後、リングの直径４０ｍｍ前後。以下主リングという。）を陰茎亀頭部後方冠状溝にはめ込み留置して衛生を確保する男性器衛生保持器。
【請求項２】
請求項１に記載の男性器衛生保持器にあって、亀頭部環状溝に直接密着する主リングに対してその着脱を容易にするため、着脱専用取っ手（以下、副リングという。）を主リングに構成する請求項１、に記載の男性器衛生保持器。
【請求項３】
請求項１に記載の男性器衛生保持器にあって、請求項２における副リングにより主リングの径が拡大縮小調整することが可能とする請求項１、２、に記載の男性器衛生保持器。
【請求項４】
請求項１に記載の男性器衛生保持器にあって、排尿時尿道狭窄・勃起時の血管狭窄等にならないよう適度に伸縮を持つ布及び紙素材で構成し、かつ容易に取り外すことの可能な取ってを設けた請求項１、２、３、に記載の男性器衛生保持器。
【請求項５】
請求項１に記載の男性器衛生保持器にあって、主リングが亀頭部より外れて脱落紛失しないよう、二対の男性器衛生パッドを副リングを連結することにより脱落防止機能を設けた請求項１、２、３、４に記載の男性器衛生保持器。
【請求項６】
請求項１に記載の男性器衛生保持器にあって、リング状布ゴムに除菌剤及び消臭剤を塗布させ衛生を保持する請求項１、２、３、４、５に記載の男性器衛生保持器。
【発明の詳細な説明】
【技術分野】
【０００１】  本発明は、男性陰茎亀頭部と陰茎包皮癒合部に発生する（包皮小帯部、環状溝等。）雑菌及び悪臭等の不衛生に対し、本男性器衛生保持器を陰茎冠状溝に留置することにより男性器の清潔を保持することに関するものである。
【背景技術】
【０００２】  従来、男性器衛生保持器の目的とするものは、軽い尿盛れを吸収し下着の汚れを防止するために下着にパッドを張り付けるもの，衛生リング、蒸れ防止装置等が知られている。（特許文献１，登録実用新案文献２参照）
【特許文献１】特許公開平９−７５３８４
【登録実用新案文献２】
登録実用新案第３１０２２６４号
【発明の開示】
【発明が解決しようとする課題】
【０００３】  男性器の亀頭部、それを覆う陰茎包皮、及び亀頭部環状溝と陰茎包皮癒合部分には尿が付着することが多く、その尿はアンモニアを含み悪臭と雑菌の温床となります。
尿の付着による雑菌繁殖、悪臭発生及び恥垢発生等の弊害は、寝たきり高齢者、術後の患者等の亀頭部に発生する恥垢を排除するに際には稀に皮膚炎を発症することもあります。また性感染症等の菌を媒介することもあり大変不健康である。
本発明は、雑菌繁殖リスクの大きい男性器亀頭部に覆い被さる包皮にたいし本発明品の抵抗物をもってその癒合を抑制する。また若干の尿漏れを吸収するなどして、寝たきり高齢者等の清潔保持、性感染症等の軽減を図るのもである。
また男性器衛生保持器を衛生的に使用するには、一度用いた本発明品を使用後は、廃棄することが望ましく本発明品をより安価で衛生的に製造することが必要がある。【０００４】  従来の男性器衛生保持器は、オムツに尿取りパッドのような物を取り付ける形体で、細菌の温床である亀頭部と包皮の癒合部分の衛生を賄うものではない。
又仮性包茎を矯正するものが多く存在するが、これらは男性器の衛生目的でなく装着時に雑菌の繁殖・悪臭が発生する弊害があった（合成樹脂、金属等が皮膚に密着すると密着部が湿潤し雑菌・悪臭が発生する）。またリング状のゴムに綿を巻いたものもあるが、取っ手部が無く着脱困難、陰茎の収縮時に脱落する、そして若干の尿漏れを阻止する面積が少ない等の問題点があった。
本発明は、これたの問題点を解決するためになされたものである。
【課題を解決するための手段】
【０００５】  本発明は、陰茎包皮に覆われる亀頭部及び陰茎包皮小帯部等において付着する尿等による不衛生を防止させるため、伸縮性をもった布及び紙製の直径約１０ｍｍ、直径約４０ｍｍの主リングを構成させ陰茎冠状溝に留置させる。
本主リングは伸縮性があり主リング大きく引き伸ばすことにより容易に冠状溝に装着できる、その主リングに対し主リングの取っ手としての副リングを設けることにより容易に主リングを取り外し可能となる。
又、二つの本男性器衛生パッドの副リング（取っ手部）どうしを繋ぎ片方を陰茎部の付け根に、片方を亀頭部冠状溝に取り付けることにより亀男性器衛生パッドの脱落紛失する装置とする。
本男性器衛生保持器の構造はシンプルであり、安価製造が可能である。
本男性器衛生パッドには、その素材（布及び紙）には除菌・消臭液を塗布加工し本商品の衛生状態を保持する。
【発明の効果】
【０００６】  本発明の実施よる効果は、亀頭部に接触又は覆い被さる陰茎包皮との間に本発明品を留置することにより亀頭部と包皮の癒合により発生する悪臭、雑菌・恥垢等の発生を大きく抑制し、寝たきり男性（術後の患者、寝たきり高齢者等。）等の陰茎部の衛生を保持することが可能となった。【０００７】  本発明品は、尿口から漏れる少量の尿においては亀頭部下部の包皮小帯に流れ出す事を阻止し、包皮小帯部の尿の付着を軽減することができる。【０００８】  本発明の素材は、収縮機能と取り外し用の取っ手部があり本発明品の着脱を容易にし、排尿時及び勃起時に排尿困難・勃起阻害を引き起こさなくなった。【０００９】  本発明品は、その殆どが柔軟な布及び紙製の素材で形成され、装着時皮膚にたいする違和感が少ない。また合成樹脂等と皮膚とが一定の時間密着することにより発生する湿潤の度合いが、布及び紙を使用することにより大きく軽減できた。【００１０】  本男性器衛生パッドを更なる脱落を回避するため、本発明品２対を利用してその副リングどうしを連結し２対一体型とする。そのことにより片方一対を亀頭部冠状溝に、残る一対を陰茎付け根部に装着すると亀頭部の一対の脱落があっても付け根部の残る一対が残留しているため、亀頭部より脱落したの一対の紛失を免れることができるようになった。【００１１】  本男性器衛生パッドのシンプルな構造は、安価量産製造が可能となり使い捨てとして市場に流通可能であり、更に除菌・消臭加工を施すことにより医療・介護現場等において衛生的に使用可能となった。
【発明を実施するための形態】
【００１２】  以下、本発明の実施の形体を説明する。
（イ）伸縮性をもったリング状の布及び紙などの生地からなる円柱体の主リング上下（１）（７）に副リング（２）（５）（６）を取付、副リングをずらすことにより主リング主穴部（３）の直径縮小拡大調整可能にする。なお且つ副リング（取っ手部）（２）は着脱を容易にする取っ手として機能する。
（ロ）主リング上部（１）には主リング主穴部（３）があり、包皮の被っていない亀頭部を、伸縮する主リング主穴部（３）を伸ばし開き通し、その主リング上部部分を環状溝部に（１２）留置する。
（ハ）主リング下部（７）は、尿受け部として陰茎包皮小帯部の位置に設置し尿が包皮小帯部に流れ込む事を阻止させる。
本発明を使用する場合は、亀頭部に被さっている包皮を環状溝まで戻し主リング上部（１）の直径を伸ばし広げて亀頭部冠状溝（１２）に設置する。
主リング主穴部（３）の直径の拡大縮小調整を必要とする際は、副リング連結部（５）をずらすことによりその調整を図る。
また、本発明を取り外す際は、副リング（取っ手部）（２）をもって容易に取り外すことができる。
本発明の脱落を防止する際は、２対の男性器衛生保持器（図１２）の副リングどうし（図１２の二対連結部）を連結し片方を陰茎付け根部に、片方を環状溝（１２）に設置及び留置し使用する。
本発明品は、除菌防臭加工を施し更に細菌に触れないよう一対ずつ滅菌包装され約３日程の使用で廃棄されｚる。
【図面の簡単な説明】
【００１４】
【図１】本発明の斜視図
【図２】正面図
【図３】背面図
【図４】右側面図
【図５】左側面図
【図６】正面図
【図７】下面図
【図８】陰茎装着斜視図
【図９】陰茎装着正面図
【図１０】陰茎下面図
【図１１】陰茎左側面図
【図１２】本発明二対一体型図
【符号の説明】
【００１５】（１）主リング上部、（２）副リング（取っ手部）、（３）主リング主穴部、（４）主リング副穴部、（５）副リング連結部、（６）副リング結び部、（７）主リング下部、（８）陰茎部、（９）亀頭部、（１０）尿口部、（１１）包皮小帯部、（１２）環状溝部。
【図１】
2012223544.tif 000003
【図２】
2012223544.tif 000004
【図３】
2012223544.tif 000005
【図４】
2012223544.tif 000006
【図５】
2012223544.tif 000007
【図６】
2012223544.tif 000008
【図７】
2012223544.tif 000009
【図８】
2012223544.tif 000010
【図９】
2012223544.tif 000011
【図１０】
2012223544.tif 000012
【図１１】
2012223544.tif 000013
【図１２】
2012223544.tif 000014